(57)【特許請求の範囲】
【請求項１】
（ａ）加圧室に吸入した燃料を加圧して吐出する燃料供給ポンプと、
（ｂ）この燃料供給ポンプに組込まれて前記加圧室に連通する燃料通路を開閉するバルブ、およびこのバルブを開弁駆動または閉弁駆動するコイルを有する電磁弁と、
（ｃ）内燃機関の運転状況に応じて前記コイルに印加する駆動電流値を可変して、前記バルブのリフト量を変更することによって、前記燃料供給ポンプより吐出される燃料吐出量を可変制御するポンプ制御装置とを備えたポンプ故障診断装置において、
前記ポンプ制御装置は、
前記内燃機関の停止時に、前記燃料供給ポンプの故障判定のための検査用駆動電流値を前記コイルに印加して駆動電流波形を作成し、
続いて、予め前記内燃機関の出荷時に前記検査用駆動電流値を前記コイルに印加して記憶されている電流値を読み出して基準電流波形を作成し、
次に、前記駆動電流波形と前記基準電流波形とを比較して、前記燃料供給ポンプに異常があるか否かを判定するポンプ異常判定手段を有していることを特徴とするポンプ故障診断装置。
【請求項２】
請求項１に記載のポンプ故障診断装置において、
前記ポンプ制御装置は、
前記ポンプ異常判定手段によって前記燃料供給ポンプに異常があると判定した際に、前記バルブのリフト量が所定値以上となる駆動電流値を前記コイルに印加する電磁弁駆動手段を有していることを特徴とするポンプ故障診断装置。
【請求項３】
請求項２に記載のポンプ故障診断装置において、
前記ポンプ制御装置は、
前記ポンプ異常判定手段によって前記燃料供給ポンプに異常があると判定した際に、
前記電磁弁駆動手段を所定回数繰り返し駆動させて、なお異常があると前記ポンプ異常判定手段が判定すれば、前記燃料供給ポンプの機械的故障と判定するポンプ故障判定手段を有していることを特徴とするポンプ故障診断装置。
【請求項４】
請求項３に記載のポンプ故障診断装置において、
前記ポンプ制御装置は、
前記燃料供給ポンプの機械的故障と前記ポンプ故障判定手段が判定すれば、
故障に対応した異常処置を行うポンプ異常処置手段を有していることを特徴とするポンプ故障診断装置。
【請求項５】
請求項１ないし請求項４のうちのいずれか１つに記載のポンプ故障診断装置において、  前記検査用駆動電流値とは、
前記電磁弁の許容電流値の７０％以上の駆動電流値のことであることを特徴とするポンプ故障診断装置。
【請求項６】
請求項１ないし請求項５のうちのいずれか１つに記載のポンプ故障診断装置において、  前記駆動電流波形と比較する基準電流波形の作成には、
前記内燃機関の出荷時に検査し、記憶された電流値を用いることを特徴とするポンプ故障診断装置。
【請求項７】
請求項３ないし請求項６のうちのいずれか１つに記載のポンプ故障診断装置において、  前記電磁弁駆動手段は、
前記バルブのフルリフトの７０％以上を確保できる電流と初期リフトの電流とを交互に印加し、これを連続して少なくとも２回以上繰り返すことを特徴とするポンプ故障診断装置。
【請求項８】
請求項７に記載のポンプ故障診断装置において、
前記ポンプ故障判定手段は、
前記電磁弁駆動手段が前記バルブのフルリフトの７０％以上を確保できる電流と初期リフトの電流とを交互に印加し、これを連続して少なくとも２回以上繰り返すことをさらに所定回数繰り返し駆動させて、なお異常があると前記ポンプ異常判定手段が判定すれば、前記燃料供給ポンプの機械的故障と判定することを特徴とするポンプ故障診断装置。
【請求項９】
請求項１ないし請求項８のうちのいずれか１つに記載のポンプ故障診断装置において、  前記ポンプ異常判定手段は、
前記駆動電流波形と前記基準電流波形を一定間隔毎にサンプリングし、各サンプリングポイントでの前記駆動電流波形と前記基準電流波形との電流値の変化が所定閾値を超えるサンプルポイント数が所定個数以上ある場合に異常と判定することを特徴とするポンプ故障診断装置。
【請求項１０】
請求項１ないし請求項９のうちのいずれか１つに記載のポンプ故障診断装置において、  前記ポンプ異常判定手段は、
前記駆動電流波形と前記基準電流波形のボトム値とトップ値のピーク値を記憶し、前記駆動電流波形と前記基準電流波形とのトップ値の差、またはボトム値の差が所定閾値を超えた場合、もしくは前記トップ値の差と前記ボトム値の差が共に所定の閾値を超えた場合に異常と判定することを特徴とするポンプ故障診断装置。
【発明の詳細な説明】
【技術分野】
【０００１】
本発明は、内燃機関に搭載された燃料噴射弁に高圧燃料を圧送供給するポンプ故障診断装置に関するもので、特に燃料供給ポンプに組込まれ、燃料調量のためにポンプ制御装置の制御電流値によって駆動される吸入調量弁の故障診断に係わる。
【背景技術】
【０００２】
〔従来の技術〕
従来より、ディーゼルエンジン用の燃料噴射システムとして知られるコモンレール式燃料噴射システムでは、コモンレール内に高圧燃料を蓄圧し、このコモンレール内に蓄圧された高圧燃料を内燃機関（以下、エンジンという）の各気筒毎に対応して搭載された複数個の燃料噴射弁を介して所定のタイミングでエンジンの各気筒の燃焼室内に噴射供給するように構成されている。
【０００３】
コモンレールは、燃料の噴射圧力に相当する高圧燃料を常時蓄圧する必要がある。このため、燃料供給ポンプから燃料配管を経て高圧燃料が吐出され、この燃料供給ポンプの燃料吐出量を制御することにより、コモンレール内の燃料圧力（実コモンレール圧力）が、エンジンの運転条件に対応して設定される目標コモンレール圧力と略一致するように、実コモンレール圧力と目標コモンレール圧力との圧力偏差値に基づいて燃料供給ポンプの燃料吐出量がフィードバック制御されている。このような燃料供給ポンプの中で、燃料吸入時に燃料吐出量を決定する吸入調量型のサプライポンプが存在する。
【０００４】
このサプライポンプは、加圧室内に吸入される燃料噴射量を制御する電磁弁を設けている。この電磁弁は、コイルに印加する駆動電流により、その内部のバルブの位置を制御して、例えばフィードポンプから加圧室に至る燃料吸入経路の開口面積（バルブ開度）を変更することで、燃料吸入量を調整し、加圧室からコモンレールへ吐出される燃料吐出量を制御するように構成されている。
【０００５】
このような電磁弁として、軸線方向に真っ直ぐに延びる摺動孔を有するバルブケースと、このバルブケースの摺動孔内を軸線方向に移動して出口側ポートと連通孔との連通状態を変更する筒状のバルブとを備えた吸入調量弁（ＳＣＶ）が提案されている（例えば、特許文献１参照）。そして、バルブの内部には、貫通孔が貫通している。また、バルブケースの内部には、バルブよりも軸線方向の一方側に、バルブを開弁方向に付勢するスプリングを収容するスプリング収容室が形成されている（ノーマリオープン型の場合）。なお、スプリング収容室は、貫通孔を介してバルブケースの入口側ポートに連通している。
【０００６】
〔従来技術の不具合〕
ところが、特許文献１に記載のＳＣＶにおいては、バルブケースの入口側ポートからバルブの貫通孔内に流入した燃料が、貫通孔から連通孔、調量溝を経てバルブケースの出口側ポートに流れ込むようになっており、スプリング収容室内の燃料は殆どスプリング収容室内で滞留している。このため、燃料と一緒にＳＣＶの内部に流入した異物や、バルブの摺動面とバルブケースの摺動面との摺動により発生した摩耗粉が、スプリング収容室内に一旦流入すると、スプリング収容室内で滞留してしまい、異物や摩耗粉がスプリング収容室内から排出され難くなる。
【０００７】
ここで、バルブはバルブケース内を軸線方向に摺動移動して出口側ポートの流路開口面積を変更することで燃料流量を調量する構成を有している。このため、バルブがバルブケース内を軸線方向に摺動移動するのに必要な最小限のクリアランスがバルブの摺動面とバルブケースの摺動面との間に形成されている。しかるに、スプリング収容室内で滞留した異物や摩耗粉がバルブの軸線方向の移動に伴ってクリアランスに侵入し、バルブの摺動面とバルブケースの摺動面との間に詰まったり、あるいは堆積すると、バルブケースの摺動面に対するバルブの摺動抵抗が増加する。これにより、バルブの作動が不安定になったり、または作動しなくなったりというバルブの摺動不良を生起するという問題が生じる。このようなバルブの摺動不良が発生すると、ＳＣＶのコイル駆動電流値に対するポンプ吐出量制御特性が悪化してエンジン出力の低下等の不具合が発生してしまう。
【０００８】
そこで、バルブの摺動不良が生起してエンジン出力の低下等の不具合が発生する前に、摺動不良が検知でき、異常判定時にはその摺動不良の原因である異物の詰りや摩耗粉の堆積等の除去、つまり異常の解消を図り、その上でポンプ異常故障の形態を確実に見極めて、適切な異常処置（例えば、運転者への警告表示やリンプホーム処置など）をとる故障診断装置の提供が望まれている。
【０００９】
ところで、エンジンの運転中に、ＳＣＶの動作を停止させることなくコモンレール内の高圧燃料圧力（実コモンレール圧力）を検知して、この圧力値等に基づく実駆動電流をＳＣＶにフィードバック駆動し、ＳＣＶの中間・全開固着故障の発生を診断するポンプ故障診断装置が開示されている（例えば、特許文献２参照）。しかし、このポンプ故障診断装置は、圧力値に基づく検出とフィードバック制御であるため、応答性を含め精度に問題があり、また、変形例としてＳＣＶのコイルに印加されるＳＣＶフィードバック電流を検知しても診断が可能であるとの開示はあるが、エンジン運転中のＳＣＶフィードバック電流は運転条件によって変化するので、常に安定した状態の電流値が印加できないため正確な異常判定を実施するのは困難と思われる。
【発明の開示】
【発明が解決しようとする課題】
【００１０】
本発明は前記問題点に鑑み、燃料供給ポンプのＳＣＶの摺動不良の故障診断時にポンプ異常故障を精度良く検出することのできるポンプ故障診断装置を提供することと、異常判定時にはその異常の解消を図り、その上でポンプ異常故障の形態を正確に見極めて、適切な異常処置をとることのできるポンプ故障診断装置を提供することを目的とする。
【課題を解決するための手段】
【００１１】
〔請求項１の手段〕
従来の内燃機関運転中での診断では、電磁弁のバルブ位置はフィードバック電流駆動によって変化しており、常に安定した状態の電流値が印加されている訳ではないので、異常判定の正確な電流波形を検出することは難しい。しかし、本発明の請求項１の手段を採用するポンプ故障診断装置は、内燃機関の停止時に、つまり電磁弁のフィードバック電流を流さない状態で、これに代わって燃料供給ポンプ（電磁弁）の故障判定のための検査用駆動電流値を電磁弁のコイルに印加して駆動電流波形を作成し、続いて、予め内燃機関の出荷時に検査用駆動電流値を電磁弁のコイルに印加して記憶されている電流値を読み出して基準電流波形を作成し、次に、駆動電流波形と基準電流波形とを比較して、燃料供給ポンプ（電磁弁）に異常があるか否かを判定するので、安定した電流波形を検出でき、比較の精度向上が可能となる。
【００１２】
〔請求項２の手段〕
請求項２の手段を採用するポンプ故障診断装置は、ポンプ異常判定手段によって燃料供給ポンプに異常があると判定した際に、バルブのリフト量が所定値以上となる駆動電流値をコイルに印加する電磁弁駆動手段によって、強制的に駆動するので、バルブリフトの略全範囲でバルブクリアランスに詰まった異物や、堆積する摩耗粉などを除去することができ、異常の解消が可能となる。
【００１３】
〔請求項３の手段〕
請求項３の手段を採用するポンプ故障診断装置は、ポンプ異常判定手段によって燃料供給ポンプに異常があると判定した際に、電磁弁駆動手段（強制駆動）を所定回数繰り返し駆動させて、なお異常があるとポンプ異常判定手段が判定すれば、燃料供給ポンプの機械的故障と判定するので、正確な故障判定および診断が可能となる。
【００１４】
〔請求項４の手段〕
請求項４の手段を採用するポンプ故障診断装置は、燃料供給ポンプの機械的故障とポンプ故障判定手段が判定すれば、故障に対応した異常処置を行う。これにより、正確な故障判定に基づく信頼性の高い異常処置がとれるので、タイムリーな不具合の抑制が可能となる。
【００１５】
〔請求項５の手段〕
請求項５の手段を採用するポンプ故障診断装置は、検査用駆動電流値として、電磁弁の許容電流値の７０％以上の駆動電流値を印加しているので、変化の大きな安定した電流波形を検出でき、比較の精度向上が可能となるとともに、電磁弁のコイルの温度特性がばらつくことなく、大電流によって即座に一定の温度に上昇し保持されるので、温度の影響を考慮しない正確な判定が可能となる。
【００１６】
〔請求項６の手段〕
請求項６の手段を採用するポンプ故障診断装置は、駆動電流波形と比較する故障判定の基準電流波形の作成に、内燃機関の出荷時に検査し、記憶された電流値を用いているため、異物の詰りや摩耗粉の堆積等、あるいは温度履歴による熱ひずみや熱変形等による摺動抵抗は一切存在しないことから、異常判定の正確度が向上する。しかも、異物の詰りや摩耗粉の堆積等のバルブの摺動不良のみならず、経年による熱ひずみや熱変形等のバルブの摺動不良も確実に判定することができる。
【００１７】
〔請求項７の手段〕
請求項７の手段を採用するポンプ故障診断装置は、電磁弁駆動手段によって、バルブのフルリフトの７０％以上を確保できる電流と初期リフトの電流とを交互に印加する強制駆動を連続して少なくとも２回以上繰り返す。よって、バルブがリフトの略全範囲を、行って戻る往復動作ができるので、バルブクリアランスに詰まった異物や堆積する摩耗粉などを除去し、１回目で除去できなかったもの、または残った異物等は、続く２回目の強制駆動によって略完全に除去される。つまり、異常の解消の可能性がより高くなる。
【００１８】
〔請求項８の手段〕
請求項８の手段を採用するポンプ故障診断装置は、バルブのフルリフトの７０％以上を確保できる電流と初期リフトの電流とを交互に印加する強制駆動を連続して所定のサイクル回数繰り返すので、この繰り返し強制駆動によって異物の詰りや摩耗粉の堆積等を略完全に除去できる。つまり、繰り返し強制駆動を行うことにより、バルブの摺動不良の解消を略完全に図ることができる。また、バルブの摺動不良の解消をできる限り行って、なお異常と判定された故障は、解消ができない機械的故障と判断できるので高い信頼性をもって正確な異常処置をとることができる。
【００１９】
〔請求項９の手段〕
請求項９の手段を採用するポンプ故障診断装置は、駆動電流波形と基準電流波形との違いを精度良く、かつ確実に比較するために、駆動電流波形と基準電流波形の比較方法として、駆動電流波形と基準電流波形を一定間隔毎にサンプリングし、各サンプリングポイントでの駆動電流波形と基準電流波形との電流値の変化が所定閾値（％）を超えるサンプルポイント数が所定個数以上ある場合に異常と判定するポンプ異常判定手段を採用しているので、簡単、かつ精度良く駆動電流波形と基準電流波形の違いを検出できる。
【００２０】
〔請求項１０の手段〕
請求項１０の手段を採用するポンプ故障診断装置は、駆動電流波形と基準電流波形との違いを精度良く、かつ確実に比較するために、駆動電流波形と基準電流波形の比較方法として、駆動電流波形と基準電流波形との比較において、電流波形のボトム（下限）値とトップ（上限）値のピーク値を記憶し、駆動電流波形と基準電流波形とのトップ値の差、またはボトム値の差が所定閾値を超えた場合、もしくはトップ値の差とボトム値の差が共に所定の閾値を超えた場合に異常と一致せずと判断するポンプ異常判定手段を採用しているので、請求項９の手段と同様な作用・効果を奏する。
【発明を実施するための最良の形態】
【００２１】
本発明を実施するための最良の形態は、ポンプ異常故障を精度良く、かつ正確に判定するため、エンジン停止時に、ＳＣＶのフィードバック電流が印加されない状態で、ＳＣＶ検査用駆動電流値を印加し、この検査用駆動電流値の電流波形（駆動電流波形）と予め記憶されたエンジンの出荷時の基準電流波形とを比較することにより精度の高い判定ができ、そして異常の判定がされれば、その異常の解消を図るべく強制駆動を実施して、これを所定回数繰り返すことによって解消に努め、なお異常が解消されなかったとき、機械的故障と正しく診断し、適切な異常処置を行うものである。
この発明の実施の最良の実施形態を、図に示す実施例１とともに説明する。
【実施例１】
【００２２】
〔実施例１の構成〕
図１ないし図６は本発明の実施例１を示したもので、図１はコモンレール式燃料噴射システムの全体構成図で、図２はサプライポンプに組付けられたＳＣＶ（吸入調量弁）を示した図である。
【００２３】
本実施例の内燃機関用燃料噴射装置は、自動車等の車両に搭載されるものであり、主として、例えば多気筒ディーゼルエンジン等の内燃機関（以下、エンジンと言う）用の燃料噴射システムとして知られるコモンレール式燃料噴射システム（蓄圧式燃料噴射装置）である。コモンレール式燃料噴射システムは、コモンレール１内に蓄圧された高圧燃料を、エンジンの各気筒毎に対応して搭載された複数個（本例では４個）の燃料噴射弁（インジェクタ）３を介してエンジンの各気筒の燃焼室内に噴射供給するように構成されている。
【００２４】
このコモンレール式燃料噴射システムは、燃料の噴射圧力に相当する高圧燃料を蓄圧するコモンレール１と、エンジンの各気筒の燃焼室内に燃料を所定のタイミングで噴射供給するインジェクタ３と、電磁式吸入調量弁（以下、ＳＣＶ）６を経て、加圧室内に吸入される燃料を加圧する吸入燃料調量方式の燃料供給ポンプ（サプライポンプ）５と、複数個のインジェクタ３の電磁弁４およびサプライポンプ５のＳＣＶ６を電子制御するエンジン制御ユニット（本発明のポンプ制御装置、ポンプ故障診断装置に相当する。ＥＣＵと呼ぶ）１０を備えている。
【００２５】
コモンレール１は、燃料配管に相当するもので、燃料供給配管１２を介して高圧燃料を吐出するサプライポンプ５の吐出口と接続されている。また、コモンレール１から燃料タンク７に燃料を戻すリリーフ配管（燃料還流配管）１４には、燃料タンク７に連通する燃料排出路（燃料還流路）の開口度合を調整することが可能な常閉型の減圧弁２が設置されている。この減圧弁２は、減圧弁駆動回路を介してＥＣＵ１０から印加される減圧弁駆動電流によって電子制御されることにより、例えば減速時またはエンジン停止時に速やかにコモンレール１内の燃料圧力（コモンレール圧力）を高圧から低圧へ減圧させたり、またはサプライポンプ５が過剰圧送する等のコモンレール内の異常高圧時に車両を退避走行（リンプホーム）させる目的で、車両を継続走行させるのに必要な圧力（レギュレート圧力）を維持できるように閉弁圧が調整される。なお、減圧弁２の代りに、リリーフ配管１４にコモンレール１内の燃料圧力が限界設定圧力を超えた際に開弁して、コモンレール１内の燃料圧力を限界設定圧力以下に抑えるプレッシャリミッタを取付けるようにしてもよい。
【００２６】
エンジンの各気筒毎に対応して搭載された複数個のインジェクタ３は、コモンレール１より分岐する複数の燃料供給配管（分岐管）１３の下流端に接続されて、エンジンの各気筒の燃料室内への燃料噴射を行う燃料噴射ノズル、この燃料噴射ノズル内に収容されたノズルニードル（図示せず）を開弁方向に駆動する電磁弁４、およびノズルニードルを閉弁方向に付勢するスプリング等のニードル付勢手段（図示せず）等から構成された電磁式燃料噴射弁である。
【００２７】
これらのインジェクタ３からエンジンの各気筒の燃焼室内への燃料噴射は、ノズルニードルと連動するコマンドピストン（図示せず）の動作制御を行う背圧制御室内の燃料圧力を増減制御する電磁弁４のコイル（図示せず）への通電および通電停止（ＯＮ／ＯＦＦ）により電子制御される。つまり、インジェクタ３の電磁弁４のコイルが通電されてノズルニードルがノズルボデーの先端部に形成された複数個の噴射孔を開弁している間、コモンレール１内に蓄圧された高圧燃料がエンジンの各気筒の燃焼室内に噴射供給される。これにより、エンジンが運転される。また、インジェクタ３には、余剰燃料や背圧制御室から排出された燃料を燃料系の低圧側に溢流させるためのリークポートが設けられており、インジェクタ３からのリーク燃料は、リターン配管（燃料還流配管）１５を介して燃料タンク７に戻される。
【００２８】
サプライポンプ５は、吸入した燃料を加圧して吐出口からコモンレール１へ高圧燃料を吐出する高圧供給ポンプである。このサプライポンプ５は、エンジンのクランク軸（クランクシャフト）の回転に伴ってポンプ駆動軸２２が回転することで燃料タンク７内の燃料を汲み上げる周知のフィードポンプ（低圧供給ポンプ、図示せず）と、ポンプ駆動軸２２により回転駆動されるカム（図示せず）と、このカムにより上死点と下死点との間を往復運動するように駆動される２個のプランジャ（図示せず）と、これらのプランジャが２個のシリンダ内をそれぞれ往復摺動することにより、燃料吸入経路（図示せず）を経て吸入された燃料を加圧する２個の加圧室（プランジャ室、図示せず）と、これらの加圧室内の燃料圧力が所定値以上に上昇すると開弁する２個の吐出弁（図示せず）とを有している。
【００２９】
また、サプライポンプ５には、内部の燃料温度が高温にならないように、リークポートが設けられており、サプライポンプ５からのリーク燃料は、燃料還流路１７からリリーフ配管１４を経て、燃料タンク７に還流するように構成されている。このサプライポンプ５の加圧室へ燃料を流入させるための燃料吸入経路には、その燃料吸入経路の開口度合（弁のリフト量または弁の開口面積）を調整することで、サプライポンプ５からコモンレール１への燃料の吐出量（ポンプ吐出量、ポンプ圧送量）を変更するソレノイドアクチュエータとしてのＳＣＶ６が取付けられている。
【００３０】
ＳＣＶ６は、ポンプ駆動回路を介してＥＣＵ１０から印加されるポンプ駆動電流値（ＳＣＶ駆動電流値）によって電子制御されることにより、サプライポンプ５の加圧室に吸入される燃料の吸入量を調整するポンプ流量制御弁である。このＳＣＶ６は、図２に示すように、サプライポンプ５のハウジングに固定されるスリーブ状のバルブケース２４と、このバルブケース２４の内部を軸線方向に往復摺動可能に配設されたバルブ２３と、このバルブ２３を開弁方向に付勢するコイルスプリング（弁体付勢手段）２６とを備えている。
【００３１】
バルブケース２４は、バルブ２３を摺動可能に収容するシリンダ部（以下、シリンダ３５）と磁路形成のためのステータ部（以下、ステータコア３６）とを兼ね備えている。バルブケース２４のシリンダ３５の先端には低圧燃料が送り込まれる入口側ポート３１が形成され、また、バルブケース２４のシリンダ３５の略中央部には、半径方向に開口する複数の出口側ポート３２が形成されている。また、バルブケース２４は、バルブ２３の軸線方向の一端面と有底円筒状のステータコア３６の底部との間にスプリング収容室（内部空間）３３を形成している。
【００３２】
バルブ２３は円筒状（スリーブ状）のスプール型バルブであって、コイル２５に発生する磁気吸引力に対応して、軸線方向の相対位置（リフト量）が連続的に変化し、このリフト量の変化に伴って、出口側ポート３２に対する軸線方向の相対位置が連続的に変更されて、出口側ポート３２の通路開口断面積を連続的に変更するバルブ機能と、磁路形成のためのアーマチャ４１を備えてアーマチャ機能とを兼ね備えている。また、バルブ２３は、その軸線方向に延びる円筒部を有し、かつこの円筒部の外周に摺動部（最大外径部）を有している。バルブ２３の摺動部の外径面は、バルブケース２４のスプール穴４０の内周面に摺設する摺動面となっている。
【００３３】
そして、バルブ２３は、スプリング収容室３３内に収容されたコイルスプリング２６により常に開弁方向に付勢されている。このため、バルブ２３は、バルブストッパ３４によってデフォルト位置（出口側ポート３２の全開位置、初期リフト）が規定されている。また、コイル２５に発生する磁気吸引力によって、バルブ２３はスプリング収容室３３側（図示右方）に変位し、出口側ポート３２の通路開口断面積を連続的に変更して、完全に遮断するフルリフト位置まで移動可能である。つまり、例えばエンジンの高負荷領域から低負荷領域に至るまでＳＣＶ６のフィードバック制御電流の大きさに従って、バルブ２３はデフォルト位置（初期リフト）からフルリフト位置に至るまでの範囲を移動可能である。
【００３４】
そして、バルブ２３の内部には、バルブ２３を軸線方向に貫通してバルブ２３の軸線方向の両端面を連通する貫通孔３７、およびこの貫通孔３７の途中から分岐して出口側ポート３２近傍に向けて半径方向に延びる連通孔３８が形成されている。連通孔３８は、バルブ２３の貫通孔３７とバルブケース２４の出口側ポート３２とを連通する流体通路であって、バルブケース２４の出口側ポート３２に向けて複数個開口している。
【００３５】
連通孔３８の開口端（バルブ２３の外周面で開口する開口端）には、バルブ２３の摺動部間に形成される円環状の調量溝（環状流路、周方向溝）３９が設けられている。この調量溝３９はバルブ２３の周方向に設けられて、調量溝３９よりも流路径の小さい連通孔３８を介して貫通孔３７に連通している。また、バルブ２３の摺動部の外周面とバルブケース２４のスプール穴４０の内周面との間には、バルブ２３が軸線方向に摺動するのに必要な所定のクリアランスが設けられている。
【００３６】
本実施例のＳＣＶ６は、バルブ２３をバルブケース２４のスプール穴４０の軸線方向に連続的に閉弁駆動（または開弁駆動）するバルブ駆動装置（電磁式アクチュエータ）を備えている。この電磁式アクチュエータは、通電により磁束を発生するコイル２５と、バルブ２３のアーマチャ４１と、バルブケース２４のステータコア３６とによって磁気回路が構成され、アーマチャ４１に磁気吸引力を作用させ、バルブ２３を軸線方向に移動させる。
【００３７】
ＳＣＶ６は、ポンプ駆動回路を介してコイル２５に印加されるＳＣＶ駆動電流値の大きさに比例して、サプライポンプ５の加圧室から、コモンレール１へ吐出される高圧燃料の圧送量を調整して、コモンレール１内の燃料圧力、つまり各気筒毎に搭載されたインジェクタ３からエンジンの各気筒内へ噴射供給する燃料噴射圧力に相当するコモンレール圧力を変更する。このＳＣＶ６は、通電が停止されると弁状態が全開状態となるノーマリオープンタイプ（常開型）の電磁弁である。
【００３８】
ＥＣＵ１０には、制御処理、演算処理を行うＣＰＵ、各種のプログラムおよびデータを保存する記憶装置（ＥＥＰＲＯＭまたはＲＯＭ等の不揮発メモリやＲＡＭ等の揮発性のメモリ）、入力回路、出力回路、電源回路、インジェクタ駆動回路（ＥＤＵ）２９およびポンプ駆動回路等の機能を含んで構成される周知の構造のマイクロコンピュータが設けられている。また、ＥＣＵ１０は、図示しないイグニッションスイッチがオン（ＯＮ）すると、メモリ内に格納された制御プログラムに基づいて、例えばインジェクタ３の電磁弁４、サプライポンプ５のＳＣＶ６等の各制御部品のアクチュエータを電子制御するように構成されている。
【００３９】
そして、ＥＣＵ１０は、図１に示したように、コモンレールシステム内の燃料圧力、つまりコモンレール１内のコモンレール圧力（ＰＣ）を検出するための燃料圧力センサ（燃料圧力検出手段）２７からの電圧信号や、その他のクランク角度センサ、アクセル開度センサなど各種センサ（図示せず）からのセンサ信号が、Ａ／Ｄ変換器でＡ／Ｄ変換された後にマイクロコンピュータに入力されるように構成されている。
【００４０】
そして、ＥＣＵ１０は、エンジンの運転条件または運転状態に応じた最適な燃料噴射圧力を演算し、ポンプ駆動回路を介してＳＣＶ６のコイル２５を駆動する燃料圧力制御手段を有している。これは、クランク角度センサより出力された信号パルスの間隔時間より得られるエンジン回転速度（以下、エンジン回転数：ＮＥ）と、このエンジン回転数（ＮＥ）とアクセル開度センサより出力されるアクセル開度（ＡＣＣＰ）とに応じて演算される指令噴射量（Ｑ）とによって目標燃料圧力（目標コモンレール圧力、ＰＦＩＮ）を算出し、この目標コモンレール圧力（ＰＦＩＮ）を達成するためにＳＣＶ６のコイル２５に印加するＳＣＶ駆動電流値を調整して、サプライポンプ５よりコモンレール１内に吐出される燃料の吐出量を変更してコモンレール圧力（ＰＣ）を制御するように構成されている。
【００４１】
さらに、好ましくは、エンジンの各気筒内へ実際に噴射供給される燃料噴射量（実噴射量）の制御精度を向上させる目的で、燃料圧力センサ２７によって検出されるコモンレール圧力（ＰＣ）が目標コモンレール圧力（ＰＦＩＮ）と略一致するように、例えば、ＰＩＤ制御によって、ＳＣＶ６のコイル２５に印加するＳＣＶ駆動電流値をフィードバック制御することが望ましい。なお、ＳＣＶ駆動電流値の制御は、デューティ（ＤＵＴＹ）比制御により行うことが望ましい。即ち、コモンレール圧力（ＰＣ）と目標コモンレール圧力（ＰＦＩＮ）との圧力偏差（ΔＰＣ）に応じて単位時間当たりの制御パルス信号（パルス状のポンプ駆動信号）のオン／オフの割合（通電時間割合・デューティ比）を調整して、ＳＣＶ６の弁開度（リフト量または開口面積）を変化させるデューティ比制御を用いることで、高精度なデジタル制御が可能になる。
【００４２】
〔実施例１の制御方法〕
次に、本実施例のポンプ駆動回路に出力するＳＣＶ制御値の制御方法、およびＳＣＶ６のコイル２５に印加するＳＣＶ駆動電流の制御方法を図３に基づいて説明する。
ここで、図３（ｂ）はポンプ故障診断方法を示したフローチャートである。なお、図３（ｂ）のフローチャートは、メモリに格納された制御プログラムに相当するもので、イグニッションスイッチがＯＮされてバッテリからＥＣＵ１０へＥＣＵ電源の供給がなされた時点で起動され、その後所定の制御タイミングで繰り返し実行されるものである。また、イグニッションスイッチがＯＦＦされても直にＥＣＵ電源がＯＦＦ（遮断）されず、ポンプ故障診断の所定の制御タイミングが繰り返されて、条件が成立した後にＥＣＵ電源がＯＦＦされるものである。
【００４３】
先ず、エンジンが停止したか否かを判定する（ステップＳ１）。ここで、判定の成立条件はエンジン回転数（ＮＥ）を検知し、ＮＥ＝０ｒｐｍの時エンジン停止とする。この判定結果がＮＯの場合、つまりエンジン運転中の場合には、リターン（ＲＥＴＵＲＮ）する。
【００４４】
また、ステップＳ１の判定結果がＹＥＳの場合、つまりエンジンの運転が停止している場合には、ＳＣＶ６の故障診断を実施する条件が成立しているか否かを判定する（ステップＳ２）。ここで、診断を実施する条件が成立するとは、異常時としてエンストやエンジン始動ができなかった場合のように即座の診断が必要な場合や、正常時であるがエンジンの運転時間や車両の走行距離が所定値以上か否かのようにある頻度に従って診断を必要とする場合などである。ステップＳ２の判定結果がＮＯの場合、つまり故障診断を実施する条件が不成立の場合には、ＥＣＵ電源をＯＦＦし（ステップＳ１１）、ＳＣＶ故障診断を終了する。
【００４５】
また、ステップＳ２の判定結果がＹＥＳの場合、つまりＳＣＶ故障診断を実施する条件が成立している場合には、ＳＣＶ６の摺動不良の検査用の駆動電流値（以下ＳＣＶ検査用駆動電流値）を印加する（ステップＳ３）。そして、この時の駆動電流値の電流波形（駆動電流波形）を作成する（ステップＳ４）。
【００４６】
続いて、図３（ａ）に示すエンジン初期時（エンジンの出荷時）にＳＣＶ検査用駆動電流値を印加して記憶（ステップＳ２１、２２）されている電流値をメモリから読み出し電流波形（基準電流波形）を作成し（ステップＳ５）、次に、エンジンの出荷時の電流波形（基準電流波形）と、ＳＣＶ６の検査用の電流波形（駆動電流波形、以下検査電流波形）を比較する（ステップＳ６）。つまり、検査電流波形が基準電流波形と異なるか否かを判定する。本実施例では、ステップＳ３からステップＳ６の処理が、ポンプ異常判定手段を構成する。
【００４７】
ここで、検査電流波形が基準電流波形と異なるか否かを判定する方法について説明する。図４はエンジン初期時（エンジンの出荷時）の電流波形、つまり正常状態の基準電流波形と、ＳＣＶ６の摺動不良の検査のための電流波形、つまり検査電流波形を同じ平均電流のものを重ねてマップ化して示した電流波形模式図であるが、図４に示すように摺動不良時の電流波形、つまり検査電流波形のピークは基準電流波形のピークよりも大きい。ＳＣＶ６の電流は、コイル２５等で構成される磁気回路の磁気抵抗によって変化するので、ＳＣＶ６のバルブ２３が追従しない摺動不良時は磁気抵抗が大きく、電流波形が大きくなり、一方、正常時は磁性材であるＳＣＶ６のバルブ２３との距離が近く、磁束が多く通り電流波形は小さくなる。よって、電流波形による比較でバルブ摺動（追従）性を検出することができる。
【００４８】
また、検査電流波形と基準電流波形との違いを精度良く、かつ確実に比較するために、ＳＣＶ検査用駆動電流値は可能な限り大きな電流値の印加が好ましく、ＳＣＶ６の許容電流値の７０％以上の駆動電流値の印加が好適である。なお、図５は実際に、ＳＣＶ検査用駆動電流値として許容電流値の７０％の駆動電流値を印加させ、ＳＣＶ電流波形を調査したときの電流波形図であり、この図から正常時の検査電流波形と摺動不良時の検査電流波形の違いは明確に読取ることができる。
【００４９】
そこで、本実施例では、検査電流波形と基準電流波形の比較方法として、各検査電流波形と基準電流波形の電流値を一定間隔毎にサンプリングし、各サンプルポイントでの検査電流波形と基準電流波形との電流値の変化が所定閾値（％）を超えたポイントが、所定個数以上ある場合、これを摺動不良と判定する。また、所定個数に満たない場合は、これを正常と判定する方法を採用している。
【００５０】
また、電流波形の比較は上述した方法に限ることなく、各検査電流波形と基準電流波形のボトム（下限）値とトップ（上限）値のピーク値を記憶し、検査電流波形と基準電流波形とのトップ値差、またはボトム値差が所定閾値を超えた場合、もしくはトップ値差とボトム値差が共に所定の閾値を超えた場合に異常と判定する方法であっても良い。
共に簡単に、かつ正確に、精度良く比較できればよい。
【００５１】
そして、上記の方法によるＳＣＶ電流比較を実施し、ステップＳ６の判定結果が正常であれば、ＥＣＵ電源をＯＦＦし（ステップＳ１１）、ＳＣＶ故障診断を終了する。また、ステップＳ６の判定結果が異常であれば、電流比較判定の異常判定回数をカウントする。
【００５２】
そして、次に、異常判定回数が所定の回数を超えたか否かを判定する（ステップＳ７）。この判定結果がＮＯの場合、つまり摺動不良等の異常判定回数が所定の回数に満たない場合には、ＳＣＶ強制駆動を実施する（ステップＳ８）。本実施例では、ステップＳ７からステップＳ８の処理が、電磁弁駆動手段を構成する。
【００５３】
ここで、ＳＣＶ強制駆動について説明する。図６は、ＳＣＶ駆動電流値の推移とＳＣＶバルブリフト量の推移を示したタイミングチャートである。図６に示すように、ＳＣＶ６の駆動電流はデューティ比制御により行われ、バルブ２３の初期リフトと７０％リフト以上のリフト量が生じるような平均電流値を有するデューティ比が設定される。これは、摺動不良が例えば異物の詰りや摩耗粉の堆積等に起因する場合に、その異物の詰りや摩耗粉の堆積等が発生する位置がバルブ２３のリフト量の略全範囲をカバーして、バルブ２３が行って戻る往復移動ができる配慮のためである。
【００５４】
また、この駆動電流がＳＣＶ６のコイル２５に供給されると、バルブ２３のリフト量は図６に示すようなプロフィールを持つ。つまり、ＳＣＶ強制駆動の初回時のデューティ比制御駆動の第１サイクルでは、摺動不良により最大リフトに至らないこともあり、また、初期位置も初期リフトに戻らないこともある。このため、続くデューティ比制御駆動の第２サイクルを印加することにより、例えば異物の詰りや摩耗粉の堆積等による摺動不良を除去しながら、初期リフトから最大リフトまで移動する。そして、さらにデューティ比制御駆動の第３サイクルを印加することにより、バルブ２３は初期リフトから最大リフトまで移動し、摺動不良がまだ残っていればこれを解消し、また、残っていなければ正常作動に復帰する。
【００５５】
このように、ＳＣＶ駆動電流の印加（通電）回数を少なくとも２回以上連続して実施した強制駆動を１−サイクルとする。
【００５６】
そして、ＳＣＶ強制駆動（ステップＳ８）を実施した後、ステップＳ３にリターンする。ステップＳ３以降の処理を経て、再度、ＳＣＶ強制駆動後の電流比較判定（ステップＳ６）を実施する。ここでは、強制駆動により、例えば異物の詰りや摩耗粉の堆積等による摺動不良が解消されたか否かを判定するもので、判定結果が正常ならば、ＥＣＵ電源をＯＦＦし（ステップＳ１１）、ＳＣＶ故障診断を終了する。また、判定結果が異常ならば、電流比較判定の異常判定回数をカウントする。
【００５７】
そして、続いて、ステップＳ７では、異常判定回数が所定のサイクル回数を超えたか否かを判定する。この判定結果がＮＯの場合、つまり摺動不良の異常が解消されず、ＳＣＶ強制駆動がさらに必要であると判定された場合、もう一度上記したＳＣＶ強制駆動（ステップＳ８）が繰り返され、電流比較判定（ステップＳ６）も所定回数になるまで繰り返し実施される。
【００５８】
そして、異常判定回数が所定の回数を超えたか否かを再度判定する（ステップＳ７）。この判定結果がＹＥＳの場合、つまり所定サイクル回数のＳＣＶ強制駆動を繰り返しても摺動不良等の異常が解消されていないと判定された場合には、初めて解消のできない機械的故障と判定される（ステップＳ９）。本実施例では、ステップＳ９の処理が、ポンプ故障判定手段を構成する。また、異常判定回数の所定回数は、好ましくは３〜５であり、少なくとも１回以上あればよく、６回以上であってもよい。
【００５９】
そして、ＥＣＵ１０のメモリ（ＥＥＰＲＯＭまたはＲＯＭ等の不揮発メモリやＲＡＭ等の揮発性のメモリ）にＳＣＶ故障情報を記憶する。あるいは、故障情報をドライバに知らせる（警告表示）等の異常処置を実施する（ステップＳ１０）。その後にＥＣＵ電源ＯＦＦ（ステップＳ１１）の処理に進み、そして、ＳＣＶ故障診断を終了する。本実施例では、ステップＳ１０の処理が、ポンプ異常処置手段を構成する。
【００６０】
〔実施例１の効果〕
以上のように、本実施例のポンプ故障診断装置においては、エンジン停止中に、ＳＣＶ６のフィードバック運転されていない状態で検査用の駆動電流をできる限り大電流にて印加させ、検査電流波形と基準電流波形を比較する判定方法を採用している。これにより、検査電流波形と基準電流波形それぞれの電流波形出力を大きくすることでき、検査電流波形と基準電流波形の違いの判定精度が向上すると共に、ＳＣＶ６のコイル２５の温度特性がばらつくことなく、大電流によって即座に一定の温度に上昇し保持されるので、温度の影響を考慮しない正確な判定が可能となる。
【００６１】
また、ＳＣＶ６の故障判定の基準電流波形は、エンジンの出荷時に検査し、記憶された電流値であるため、異常判定の正確度が向上する。しかも、異物の詰りや摩耗粉の堆積等の摺動不良のみならず、経年による熱ひずみや熱変形等の摺動不良も確実に判定することができる。
【００６２】
また、異常と判定された後も、電磁弁駆動手段によってＳＣＶ６のバルブ２３を、初期リフトと７０％以上の範囲を行って戻る往復移動を２回異常繰り返して強制的に駆動させるので、バルブリフトの全範囲でバルブクリアランスに詰まった異物や、堆積する摩耗粉などを除去し、１回目で除去できなかったもの、または残った異物等は、続く２回目の強制駆動によって略完全に除去される。つまり、異常の解消の可能性がより高くなる。
【００６３】
そして、上記の強制駆動サイクルを所定のサイクル回数繰り返すので、この繰り返し強制駆動によって略完全に除去できる。つまり、繰り返し強制駆動を行うことにより、バルブ２３の摺動不良の解消を略完全に図ることができる。また、摺動不良の解消をできる限り図っても、なお異常と判定された故障は、異常処置の必要な機械的故障と判断できるので信頼性が向上する。
【００６４】
〔変形例〕
本実施例では、フィードポンプから吸入弁を経て加圧室に至る燃料吸入経路の開口面積を調整して、フィードポンプから加圧室内に吸入される燃料吸入量をＳＣＶ駆動電流に応じて調量することで、サプライポンプ５より吐出される燃料吐出量を制御するＳＣＶ６を設けたが、このＳＣＶ６として、そのコイル２５への通電停止時に全開、つまり弁孔の開口面積が最小、リフト量が最小となるノーマリクローズタイプ（常閉型）の電磁式流量制御弁を用いても良い。
【００６５】
本実施例では、燃料供給ポンプとして、吸入した低圧燃料を加圧するポンプエレメント（圧送系統）の加圧室から吐出弁に至る燃料吐出経路の途中に電磁式流量制御弁を設けて、加圧室から吐出される吐出燃料量を調量することで燃料供給ポンプより吐出される燃料吐出量を制御するようにしても良い。
【００６６】
本実施例では、本発明のポンプ故障診断装置を適用したコモンレール式燃料噴射システムを例に示したが、本発明のポンプ故障診断装置を、コモンレールを備えず、電子制御方式の分配型燃料供給ポンプまたは電子制御方式の列型燃料供給ポンプ等を備えた内燃機関用燃料噴射装置（エンジン制御システム）に適用してもよい。また、本実施例では、電磁式燃料噴射弁よりなるインジェクタ３を用いた例を示したが、圧電方式の燃料噴射弁よりなるインジェクタを用いても良い。また、アクチュエータを備えない燃料噴射ノズルのみで燃料噴射弁を構成しても良い。
【００６７】
また、本実施例では、ポンプ故障診断をエンジン停止の条件が成立する時に実施するようにしているが、これを車両運転時にイグニッションスイッチをＯＮにして、エンジンが始動する前のエンジン停止中に、車両運転開始の都度一定時間の故障診断を実施するようにしても良い。また、異常処置として、異常警告ランプ（インジケータランプ）を点灯して、あるいは音声にてドライバ（運転者）にサプライポンプの異常を警告しても良い。また、リンプホームできる燃料吐出圧を維持する制御装置を作動させても良い。
【図面の簡単な説明】
【００６８】
【図１】コモンレール式燃料噴射システムの全体構成図である（実施例１）。
【図２】サプライポンプに組付けられたＳＣＶを示す断面図である（実施例１）。
【図３】ポンプ故障診断方法を示したフローチャートである（実施例１）。
【図４】バルブの摺動不良時と正常時の駆動電流波形を示した模式図である（実施例１）。
【図５】バルブの摺動不良時と正常時の駆動電流の実測波形を示した電流波形図である（実施例１）。
【図６】ＳＣＶ駆動電流値の推移とＳＣＶバルブリフト量の推移を示したタイミングチャートである（実施例１）。
【符号の説明】
【００６９】
１      コモンレール（燃料配管）
２      減圧弁
３      インジェクタ（燃料噴射弁）
４      電磁弁
５      サプライポンプ（燃料供給ポンプ）
６      ＳＣＶ（吸入調量弁、流量制御弁、電磁弁）
７      燃料タンク
１０    ＥＣＵ（ポンプ制御装置、ポンプ故障診断装置）
１４    リリーフ配管
２２    ポンプ駆動軸
２３    バルブ
２４    バルブケース
２５    コイル
２６    コイルスプリング（バルブ付勢手段）
２７    燃料圧力センサ
２９    ＥＤＵ（インジェクタ駆動回路）
３１    入口側ポート
３２    出口側ポート
３４    バルブストッパ
３７    貫通孔
３８    連通孔
３９    調量溝
【図１】
0004591390.tif 000002
【図２】
0004591390.tif 000003
【図３】
0004591390.tif 000004
【図４】
0004591390.tif 000005
【図５】
0004591390.tif 000006
【図６】
0004591390.tif 000007